(57)【特許請求の範囲】
【請求項１】
建築物の開口部上方に配設したシャッタ−収納部内で、巻取シャフトと開閉機が並列配設される駆動側ブラケットにおいて、該駆動側ブラケットは、該巻取シャフトと係脱自在なシャフトスプロケットと、該開閉機の出力軸と係脱自在なモ−タ−スプロケットとを、互いに所定間隔を存してそれぞれ回動自在に軸支させ、両スプロケット間に駆動チェ−ンを巻回することで、該シャフトスプロケット、該モータースプロケット、両スプロケット間に巻回した該駆動チェーンが予め一体的に設けられた駆動側ブラケットとして提供され、該駆動チェーンが予め巻回されている両スプロケットにおいて、該シャフトスプロケットに該巻取シャフトを、該モータスプロケットに該開閉機の出力軸をそれぞれ取り付けるように構成されていることを特徴とする電動シャッタ−のブラケット構造。
【発明の詳細な説明】
【０００１】
【発明の属する技術分野】
本発明は、ビルや住宅等の建築物の開口部に取り付けられる電動シャッタ−のブラケットの構造に係り、詳しくは、熟練を必要とせず容易に開閉機を取り付けることができる駆動側ブラケットに関するものである。
【０００２】
【従来の技術】
従来の開閉機の取付手段について図６に基づいて説明する。符号１０Ａは駆動側ブラケットを示しており、ブラケット本体１には、シャフトスプロケット２が回転自在に軸支してあると共に、ブラケット本体１にはシャフトスプロケット２と間隔を存して開閉機取付台３がネジあるいは溶接等の固着手段により取着してある。開閉機４には取付片４１が設けてあり、開閉機４は取付片４１を介して開閉機取付台３に取り付けられる。
【０００３】
開閉機４の出力軸にはモ−タ−スプロケット５が一体的に嵌着されており、モ−タ−スプロケット５とシャフトスプロケット２との間に駆動チェ−ン７を巻回させることで、開閉機４の動力を巻取シャフト６に伝動するようにしている。そして、開閉機４を駆動側ブラケット１０Ａに取り付けるには、まずシャフトスプロケット２に駆動チェ−ン７を巻回させ、次いで開閉機４のモ−タ−スプロケット５を駆動チェ−ン７に引っ掛けた状態で開閉機取付ブラケット３に固定していた。
【０００４】
【発明が解決しようとする課題】
しかしながら、このような取付手段によると、シャフトスプロケット２のみが駆動側ブラケット１０Ａに軸支されており、モ−タ−スプロケット５は開閉機４と一体となっているため、開閉機４を駆動側ブラケット１０Ａに取り付けるには、モ−タ−スプロケット５に駆動チェ−ン７を引っ掛けた状態で駆動チェ−ン７の張りを調整しながら開閉機取付ブラケット３に固定する必要があり、作業が面倒であるばかりか取付に熟練を要していた。
【０００５】
最近では軒天埋め込みタイプのような特殊な納まりが登場してきており、また、シャッタ−ケ−スも小型化してきているので、駆動チェ−ン７を調整しながら開閉機４を駆動側ブラケット１０Ａに取り付けるのが困難な場合が増加してきている。しかも、開閉機４の取付精度が悪い場合にはスプロケットの軸芯のずれや傾き等により駆動チェ−ンに適切なテンションが掛からず、その影響によって伝動時においてチェ−ンが異音を発生させたり、あるいはチェ−ン自身の寿命が短くなってしまうという問題もあった。
【０００６】
【課題を解決するための手段】
本発明は、上記の実情に鑑み、これらの欠点を一掃することができる構成としたものであって、建築物の開口部上方に配設したシャッタ−収納部内で、巻取シャフトと開閉機が並列配設される駆動側ブラケットにおいて、該駆動側ブラケットは、該巻取シャフトと係脱自在なシャフトスプロケットと、該開閉機の出力軸と係脱自在なモ−タ−スプロケットとを、互いに所定間隔を存してそれぞれ回動自在に軸支させ、両スプロケット間に駆動チェ−ンを巻回することで、該シャフトスプロケット、該モータースプロケット、両スプロケット間に巻回した該駆動チェーンが予め一体的に設けられた駆動側ブラケットとして提供され、該駆動チェーンが予め巻回されている両スプロケットにおいて、該シャフトスプロケットに該巻取シャフトを、該モータスプロケットに該開閉機の出力軸をそれぞれ取り付けるように構成されていることを特徴とする
【０００７】
【作用】
本発明によると、駆動側ブラケットは、シャフトスプロケット、モ−タ−スプロケット、両スプロケット間に巻回した駆動チェ−ンを予め一体的に設けた形で提供される。したがって、開閉機の取付前に、予め両スプロケット間の距離やスプロケットの軸芯を精度良く設定することができ、開閉機の取付精度にかかわらず、駆動チェ−ンの適切なテンションが維持される。開閉機の取付時に、従来のように駆動チェ−ンの張りを調整する必要がないので、開閉機の取付が容易である。
【０００８】
【発明の実施の形態】
本発明の実施の形態を図１乃至図５に基づいて説明する。尚、図１乃至図５において、図７における部材と同一あるいはこれに相当する部材には図７と同じ符号を付してある。図１（ａ）は電動シャッタ−装置の概略を示す全体正面図、図１（ｂ）は図１（ａ）の概略的な縦断面図であり、図面において符号８は建築物の開口部に設けられるシャッタ−装置のシャッタ−カ−テンであり、開口部上方にはシャッタ−カ−テン８を収納するシャッタ−収納部９が設けてある。
【０００９】
シャッタ−収納部９内には巻取シャフト６が水平状に延設してあり、巻取シャフト６は一端を駆動側ブラケット１０Ａ、他端側を従動側ブラケット１０Ｂによって回転可能に支持されている。また、駆動側ブラケット１０Ａには、開閉機４が巻取シャフト９と並列して配設されている。シャッタ−カ−テン８は開閉機４の正逆駆動によって、開口部両側に立設したガイドレ−ル１１に沿って昇降して開口部を開閉し、巻取シャフト６に巻装されたシャッタ−収納部９内に収納される開放状態と、開口部を閉鎖する閉鎖状態との間で変姿する構成となっている。
【００１０】
図２は駆動側ブラケット１０Ａの正面図を示しており、駆動側ブラケット１０Ａは、正面視略台形状のブラケット本体１と、ブラケット本体１の一側の縦縁よりブラケット本体１の面に対して垂直状に延出するブラケット取付片１ａとからなり、駆動側ブラケット１０Ａは取付片１ａを介してビス止めあるいは溶接等の手段によって躯体に固定される。
【００１１】
ブラケット本体１の上下中央やや右側（ブラケット取付片１ａ側）には第一スプロケット軸２ａが設けてあり、第一スプロケット軸２ａにはシャフトスプロケット２が回転自在に軸支されている。シャフトスプロケット２の側面部には面部に対して垂直方向に突出する一対の突出片２ｂが突成されている。
【００１２】
ブラケット本体１の上下中央やや左側には開閉機取付台３が設けてある。開閉機取付台３は上下方向に延出する長方形状のベ−ス部３ａと、ベ−ス部３ａの上下端縁より水平方向に対向状に延出する上下の側部３ｂと、上下の側部３ｂの先端を互いに離隔するように鉛直方向に延出してなる突出部３ｃとから側面視略ハット形に形成されている。開閉機取付台３はベ−ス部３ａを介してブラケット本体１に装着されている。ベ−ス部３ａの中央部位には第二スプロケット軸５ｂが設けてあり、第二スプロケット軸５ｂはベ−ス部３ａを貫通してブラケット本体１に取り付けられている。
【００１３】
第二スプロケット軸５ｂにはモ−タ−スプロケット５が開閉機４とは分離されて回転自在に軸支されている。モ−タ−スプロケット５の側面部の中心部位には開閉機４の出力軸４２に嵌合する凸部５ａが突成されており、モ−タ−スプロケット５と開閉機４の出力軸４２とは伝動可能に係脱自在となっている。
【００１４】
シャフトスプロケット２とモ−タ−スプロケット５との間には駆動チェ−ン７が巻回されている。図４に示すように、両スプロケット２、５の歯の位置は、ブラケット本体１の面に対して同じ間隔をもって配設されている。換言すれば、スプロケット２、５は、駆動チェ−ン７が巻回される周縁同士が所定間隔を存して対向するように配設されている。すなわち、両スプロケット２、５間に巻回した駆動チェ−ン７が作る平面とブラケット本体１の面とは互いに平行するように構成されている。また、両スプロケット２、５の軸芯同士の距離は、巻取シャフト６にシャッタ−カ−テン８が完全に巻かれて開口部が開放された時、すなわち最大巻径の時にシャッタ−カ−テン８が開閉機取付台３に固定された開閉機４に少なくとも接触しない程度の間隔を持ち、かつ両スプロケット２、５間に駆動チェ−ン７を巻回した時に一定の好適なテンションが掛かるように設定される。
【００１５】
巻取シャフト６は中空状の軸部６ａと、軸部６ａの長さ方向に等間隔を存して回動自在に設けられる回転ホイ−ル６ｂと、各回転ホイ−ル６ｂ間を連結する一対のステ−６ｃとから構成される。回転ホイ−ル６ｂはシャフトスプロケット２の径と略同程度の大きさの径を有し、シャフトスプロケット２に連結される側の回転ホイ−ル６ｂの側面にはシャフトスプロケット２の側面部に突成された一対の突出片２ｂと対応する位置に貫通孔６ｄが形成してある。巻取シャフト６の軸部６ａの中空部分に第一スプロケット軸２ａを挿入させ、同時に回転ホイ−ル６ｂの貫通孔６ｄにシャフトスプロケット２の突出片２ｂを嵌合させることで、シャフトスプロケット２の回転力が貫通孔６ｄに嵌合された突出片２ｂにより伝達され、巻取シャフト６は軸部６ａを中心として回転する。
【００１６】
開閉機４には上下に位置して一対の取付片４１が固定されており、開閉機４は取付片４１を介して開閉機取付台３に取り付けられる。取付片４１は開閉機に固定される固定面４１ａと開閉機取付台３に取り付けられる取付面４１ｂとから断面視Ｌ字状に形成されている。開閉機４の出力軸４２の先端には出力ボス４３が固定されており、出力ボス４３に形成された凹部にモ−タ−スプロケット５の凸部５ａが嵌合するようになっている。出力ボス４３の凹部とモ−タ−スプロケット５の凸部５ａとの嵌合は図５に示すように多少の遊びがあるものが好ましい。もっとも、モ−タ−スプロケット５の凸部５ａの形状は図示する四角形状のものである必要はなく、出力ボス４３の凹部に対応する形状でかつ開閉機４の駆動力がモ−タ−スプロケット５に伝達されるものであればよい。
【００１７】
開閉機４を駆動側ブラケット１０Ａに取り付けるには、まずモ−タ−スプロケット５の凸部５ａに出力ボス４３の凹部を嵌合させ、開閉機取付台３に形成された突出片３ｃに開閉機４の取付片４１を当接重合させ、両片をネジ止めすることにより固定する。駆動チェ−ン７は予め両スプロケット２、５間に巻回されているので、駆動チェ−ン７の張りを調整しながら開閉機４を駆動側ブラケット１０Ａに固定する必要がなく、また開閉機の取付精度も高度なものは要求されないため取付に熟練を要しない。
【００１８】
そして、駆動側ブラケット１０Ａに取り付けた開閉機１０Ａを駆動すると、開閉機４のトルクが出力軸４２の先端の出力ボス４３からモ−タ−スプロケット５の凸部５ａに伝達されてモ−タ−スプロケット５を回転駆動させ、モ−タ−スプロケット５とシャフトスプロケット２に巻回した駆動チェ−ン７を介して、シャフトスプロケット２に回転力が伝動される。シャフトスプロケット２の回転は、シャフトスプロケット２の突出片２ｂが巻取シャフト６の貫通孔６ｄに嵌合することで巻取シャフト６に伝達され、もって巻取シャフト６が回転する。このようにして開閉機４の正逆駆動によりシャッタ−カ−テン８の開閉動作が行われる。
【００１９】
【発明の効果】
本発明によれば、駆動側ブラケットは、シャフトスプロケット、モ−タ−スプロケット、両スプロケット間に巻回した駆動チェ−ンを予め一体的に設けた形で提供される。したがって、開閉機の取付時に、従来のように駆動チェ−ンの張りを調整する必要がないので、開閉機の取付に熟練を必要としないばかりか軒天埋め込みのような特殊な納まりのシャッタ−であっても開閉機の取付・交換等を容易に行うことができる。
【００２０】
開閉機の取付前に、予め両スプロケット間の距離やスプロケットの軸芯を精度良く設定することができるので、開閉機の取付精度にかかわらず、駆動チェ−ンの適切なテンションが維持される。したがって、駆動チェ−ンの脱落や異音の発生を可及的に防止することができ、また結果として駆動チェ−ンの寿命が従来の方法での使用に比べて長くなる。
【図面の簡単な説明】
【図１】（ａ）  電動シャッタ−装置の概略を示す全体正面図である。
（ｂ）  図１（ａ）の概略的な縦断面図である。
【図２】本発明における駆動側ブラケットの正面図である。
【図３】本発明に係る駆動側ブラケットへの取付方法を示す斜視図である。
【図４】駆動側ブラケットへの取付状態を示す一部断面平面図である。
【図５】開閉機と駆動側ブラケットの取付状態を示す側面図である。
【図６】開閉機の従来の取付方法を示す斜視図である。
【符号の説明】
２    シャフトスプロケット
４    開閉機
４２  出力軸
５    モ−タ−スプロケット
６    巻取シャフト
７    駆動チェ−ン
【図１】
0003612645.tif 000002
【図２】
0003612645.tif 000003
【図３】
0003612645.tif 000004
【図４】
0003612645.tif 000005
【図５】
0003612645.tif 000006
【図６】
0003612645.tif 000007